(57)【要約】【課題】高価な測色器を使用することなく測色を行い、また、パッチの色が配色される媒体の材質に依存することなく得られる測色値を様々な環境に適応させ、更に、出力機器の色特性を調整可能にする。【解決手段】色のバリエーションが任意に配色され、出力機器によって生成され出力されるカラーパッチ２に、比較的薄い色成分を持つ透過物で形成された透過フィルム１を重畳させ、目標色３と同色、もしくは同色に近い特定のパッチが持つ色成分を透過フィルム１が持つ色成分から測定する。また、測定された測色値を標準値と比較して補正値を得、当該補正値に基づく補正処理を実行して色特性を調整する。【選択図】      図１
2004301506.tif 000002
【特許請求の範囲】
【請求項１】
透過フィルムを用いた測色方法であって、
色のバリエーションが変化する複数のパッチを印刷したカラーパッチを出力機器によって出力し、当該カラーパッチに前記透過フィルムを重畳させ、
目標色と同色、もしくは同色に近い特定のパッチを前記カラーパッチから選択し、
選択された前記パッチの色成分を前記透過フィルムが持つ色成分から算出すること、
を特徴とする測色方法。
【請求項２】
前記パッチの色成分を算出する際に、前記目標色の色成分を用いることを特徴とする請求項１に記載の測色方法。
【請求項３】
前記透過フィルムは前記カラーパッチに印刷された前記パッチの色よりも薄い色のフィルムであることを特徴とする請求項１または請求項２の何れかに記載の測色方法。
【請求項４】
前記カラーパッチに印刷された各パッチの色のバリエーションは、中心から端部にかけて彩度を順次変化させて配色するか、もしくは中心から端部にかけて円を描写するように順次色相を変化させて配色されて成ることを特徴とする請求項１から請求項３の何れかに記載の測色方法。
【請求項５】
色のバリエーションを変化させた複数のパッチを出力機器によって印刷したカラーパッチに、透過物で形成された透過フィルムを重畳させ、前記カラーパッチの特定のパッチの色成分と前記透過フィルムの色成分とに基づき前記出力機器の色特性の調整を行なう色特性調整装置であって、
前記カラーパッチについて目標物と同色もしくは同色に近い特定のパッチの選択指示を受ける選択指示受取手段と、
選択されたパッチの色成分を前記透過フィルムの色成分から算出する色成分算出手段と、
を備えたことを特徴とする色特性調整装置。
【請求項６】
前記算出した算出値を標準色と比較して補正値を算出し、当該補正値に基づく補正を行い、上記出力機器の色特性を調整する色特性調整手段と、
を備えたことを特徴とする色特性調整装置。
【請求項７】
色のバリエーションを変化させた複数のパッチを出力機器によって印刷したカラーパッチに、透過物で形成された透過フィルムを重畳させ、前記カラーパッチの特定のパッチの色成分と前記透過フィルムの色成分とに基づき前記出力機器の色特性の調整を行なう色特性調整装置に用いられる色特性調整プログラムであって、
前記カラーパッチについて目標物と同色もしくは同色に近い特定のパッチの選択指示を受けるステップと、
選択されたパッチの色成分を前記透過フィルムの色成分から算出するステップと、
前記算出した算出値を標準色と比較して補正値を算出し、当該補正値に基づく補正を行い、上記出力機器の色特性を調整するステップと、
をコンピュータに実行させる色特性調整プログラム。
【請求項８】
色のバリエーションを変化させた複数のパッチを出力機器によって印刷したカラーパッチに、透過物で形成された透過フィルムを重畳させ、前記カラーパッチの特定のパッチの色成分と前記透過フィルムの色成分とに基づき前記出力機器の色特性の調整を行なう色特性調整装置に用いられる色特性調整プログラムの記憶媒体であって、
前記カラーパッチについて目標物と同色もしくは同色に近い特定のパッチの選択指示を受けるステップと、
選択されたパッチの色成分を前記透過フィルムの色成分から算出するステップと、
前記算出した算出値を標準色と比較して補正値を算出し、当該補正値に基づく補正を行い、上記出力機器の色特性を調整するステップと、
をコンピュータに実行させる色特性調整プログラムを記憶する記憶媒体。
【発明の詳細な説明】
【０００１】
【発明の属する技術分野】
本発明は、カラーマネージメントシステムに用いて好適な、透過フィルムを用いた測色方法、および色特性調整装置、ならびに色特性調整プログラムに関する。
【０００２】
【従来の技術】
カラープリンタや表示モニタ等の出力機器は、ＣＭＹＫ（Ｃ：シアン、Ｍ：マゼンタ、Ｙ：イエロー、Ｂ：墨）やＲＧＢ（Ｒ：赤、Ｇ：緑、Ｂ：青）を入力信号として受信し、例えば、プリンタであれば、入力信号に対応したＣＭＹＫインクを印刷用紙に付着させることによって印刷する。このとき付着されるインクの濃度は、プリンタ機種の違いやインクの種類、印刷用紙の違い等、印刷環境に依存し、それぞれ異なったもものとなる。
【０００３】
ところで、「色」は、人それぞれの主観的な感覚量であるため、ある人が赤と言っても、言われた人は、ある程度赤っぽいものは想像できてもその色を正確に把握することができない。そこで、色を数値化することにより、色を人の感性や機械に影響を受けないように表現することが考えられた。そして、色は例えばＬａｂ（Ｌ：輝度か明度の情報、ａ：緑から赤の範囲の情報、ｂ：青から黄の範囲の情報）等の表色系として定義されるようになり、測色器という色を測定する機器によって計測され数値化されている。なお、カラーマネジメンシシステムではこの数値（測色値）を使用することにより色の伝達を行っている。
一方、事前に測色値を保持している反射物カラーパッチ（一般の印刷物）を用い、目視により比較して測色する方法もあった（特許文献１参照）。
【０００４】
【特許文献１】
特開２０００−３４６７０７号公報
【０００５】
【発明が解決しようとする課題】
しかしながら、前者の測色器を使用する方法によれば、導入時に高いコストを要する他に、測色器では、一定環境下での測定値しか得られないため、様々な環境に順応することが難しく、実使用環境下にあっては得られた測色値を正確に使用できなくなる欠点があった。
また、後者の反射物カラーパッチを用いる方法によれば、反射物カラーパッチに印刷されたパッチの色は媒体の材質（紙や布）によりその見え方が異なるため、材質の違うもの同士を比較することが非常に困難であった。
【０００６】
本発明は上記事情に鑑みてなされたものであり、高価な測色器を使用することなく、かつ、カラーパッチに配色されるパッチの色が媒体の材質に依存することなく得られる測色値を様々な環境に適応でき、更に、出力機器の色特性を調整可能な、透過フィルムを用いた測色方法、および色特性調整装置、ならびに色特性調整プログラムを提供することを目的とする。
【０００７】
【課題を解決するための手段】
本発明は、上述の課題を解決すべくなされたもので、透過フィルムを用いた測色方法であって、色のバリエーションが変化する複数のパッチを印刷したカラーパッチを出力機器によって出力し、当該カラーパッチに前記透過フィルムを重畳させ、目標色と同色、もしくは同色に近い特定のパッチを前記カラーパッチから選択し、選択された前記パッチの色成分を前記透過フィルムが持つ色成分から算出することを特徴とする測色方法である。
【０００８】
また本発明は、上述の測色方法において、前記パッチの色成分を算出する際に、前記目標色の色成分を用いることを特徴とする。
【０００９】
また本発明は、上述の測色方法において、前記透過フィルムは前記カラーパッチに印刷された前記パッチの色よりも薄い色のフィルムであることを特徴とする。
【００１０】
また本発明は、上述の測色方法において、前記カラーパッチに印刷された各パッチの色のバリエーションは、中心から端部にかけて彩度を順次変化させて配色するか、もしくは中心から端部にかけて円を描写するように順次色相を変化させて配色されて成ることを特徴とする。
【００１１】
また本発明は、色のバリエーションを変化させた複数のパッチを出力機器によって印刷したカラーパッチに、透過物で形成された透過フィルムを重畳させ、前記カラーパッチの特定のパッチの色成分と前記透過フィルムの色成分とに基づき前記出力機器の色特性の調整を行なう色特性調整装置であって、前記カラーパッチについて目標物と同色もしくは同色に近い特定のパッチの選択指示を受ける選択指示受取手段と、選択されたパッチの色成分を前記透過フィルムの色成分から算出する色成分算出手段とを備えたことを特徴とする色特性調整装置。
【００１２】
また本発明は、上述の色特性調整装置において、前記算出した算出値を標準色と比較して補正値を算出し、当該補正値に基づく補正を行い、上記出力機器の色特性を調整する色特性調整手段とを備えたことを特徴とする。
【００１３】
また本発明は、色のバリエーションを変化させた複数のパッチを出力機器によって印刷したカラーパッチに、透過物で形成された透過フィルムを重畳させ、前記カラーパッチの特定のパッチの色成分と前記透過フィルムの色成分とに基づき前記出力機器の色特性の調整を行なう色特性調整装置に用いられる色特性調整プログラムであって、前記カラーパッチについて目標物と同色もしくは同色に近い特定のパッチの選択指示を受けるステップと、選択されたパッチの色成分を前記透過フィルムの色成分から算出するステップと、前記算出した算出値を標準色と比較して補正値を算出し、当該補正値に基づく補正を行い、上記出力機器の色特性を調整するステップとをコンピュータに実行させる色特性調整プログラムである。
【００１４】
また本発明は、色のバリエーションを変化させた複数のパッチを出力機器によって印刷したカラーパッチに、透過物で形成された透過フィルムを重畳させ、前記カラーパッチの特定のパッチの色成分と前記透過フィルムの色成分とに基づき前記出力機器の色特性の調整を行なう色特性調整装置に用いられる色特性調整プログラムの記憶媒体であって、前記カラーパッチについて目標物と同色もしくは同色に近い特定のパッチの選択指示を受けるステップと、選択されたパッチの色成分を前記透過フィルムの色成分から算出するステップと、前記算出した算出値を標準色と比較して補正値を算出し、当該補正値に基づく補正を行い、上記出力機器の色特性を調整するステップとをコンピュータに実行させる色特性調整プログラムを記憶する記憶媒体である。
【００１５】
【発明の実施の形態】
図１、図２は、本発明の透過フィルムを用いた測色方法を説明するために引用した図である。
図１（ａ）において、１は透過フィルム、２は出力機器によって生成出力されるカラーパッチである。
透過フィルム１は、例えば、薄い色が配色されたセロファン等の透過物で形成される。また、カラーパッチ２は出力機器から生成され出力される。そしてカラーパッチ２には異なる色を示すパッチが複数印刷されており、各パッチの色の配列、配色は任意に設定することができ、様々なバリエーションを設定することができる。例えば図１ａに示すように、中心から端部にかけて彩度を順次変化させて各パッチを配色したり、あるいは図１ｂに示すように、中心から端部にかけて円を描写するように順次色相を変化させて各パッチを配色するようなカラーパッチ２を出力することができる。図中、ａ、ｂとして示す矢印は、彩度あるいは色相が中心から端部に向かって徐々に変化している様子を示す。
【００１６】
なお、上記したカラーパッチ２を作成する意図は、微小な変化でも周辺と比較して違いを判り安くするための配慮であり、カラーパッチ２の配色の仕方に関して制限はなく、極端には１色であってもカラーパッチ２上に透過フィルム１を重畳して見比べるることができればよい。
また、彩度や色相の単位についても制限はなく、Ｌａｂ他で定義された一般的な表色系を使用することとする。
【００１７】
図２は、出力機器によって出力されるカラーパッチ２上に薄い色が配色された透過フィルム１を重畳させ、目標色３と比較するときの対応関係を示した図である。なお、目標色は、あらかじめ用意されたもの、あるいは同じ出力機器で印刷されたものであってもよい。
本発明における透過フィルムを用いた測色方法の第１ステップは、これらを重畳したときに、目標色３と同色の、あるいは同色に近いパッチをカラーパッチ２（図中、矢印）から目視選択することである。なお、同色に近いパッチをカラーパッチ２から選択しても良いことは、カラーパッチ２に配色したパッチ間における色の変化の割合により比較の対象とされないパッチ間に目標色が存在することがあることに対処するための措置であり、いずれにしても人間の目視判断に依存するため、色の割当て、および選択にはある程度の柔軟性を持たせてある。
【００１８】
上記したように、本発明においても色選択は目視による。例えば、透過フィルム１として透過物を使用せずに、印刷物にカラーを配色したものと布にカラーを配色したものを見比べたときに同色か否かを判断するのは、パッチが配色される媒体の材質が異なるため非常に困難であった従来例に比較して、本発明では、透過物によって形成された透過フィルム１を使用するため、人の目から見る分には透過物越しに色を見て判断することになり、従って、パッチが配色される媒体の材質や質感に依存することはない。
【００１９】
本発明の透過フィルムを用いた測色方法の第２ステップは、選択されたカラーパッチ２におけるパッチの色成分を算出することである。ここでは、演算式「選択されたパッチの色成分＝目標色３の色成分−透過フィルム１の色成分」を実行することにより算出できる。
具体的に、カラー表示モニタに表示するＲＧＢ（０〜２５５）データで、上記した演算式を表現すれば以下のようになる。
（Ｒ：Ｇ：Ｂ＝２３０：２３０：２５５）＝（Ｒ：Ｇ：Ｂ＝１００：１００：１２５）−（Ｒ：Ｇ：Ｂ＝１２５：１２５：１２５）
また、カラープリンタに印刷するＣＭＹＫ（０〜１００％）データで上記した演算式を表現すれば以下のようになる。
（Ｃ：Ｍ：Ｙ：Ｋ＝５０：５０：０：０）＝（Ｃ：Ｍ：Ｙ：Ｋ＝６０：６０：０：０）−（Ｃ：Ｍ：Ｙ：Ｋ＝１０：１０：０：０）
【００２０】
つまり、透過フィルム１の色成分はあらかじめ情報として保持しておく必要があり、その情報を目標色３の色成分から減算することにより、選択したパッチの測色値を算出することができる。例えば、分光特性を用いて説明すれば図３に示すようになる。
図３は、横軸に可視領域［ｎｍ］を、縦軸に分光エネルギー［％］を目盛った分光特性を示すグラフであり、（ａ）は、選択したパッチ単体での分光特性、（ｂ）は選択したパッチに透過フィルム１を重畳させたときの分光特性のそれぞれを示す。図に示されるように、透過フィルム１を重畳した場合、その透過物が持つ色成分を除去することになる。
【００２１】
すなわち、色は分光の集まりであり、透過フィルム１をカラーパッチ２に重畳したときは分光レベルで減色（分光エネルギーの減少）が起る。
図３に可視領域として示される可視光と言われる３８０ｎｍ〜７００ｎｍのエネルギーが物体に反射／透過、または直接目に入って視感覚（色感覚）に反応させたとき、色を生じる。そのエネルギーは、単色光（一つの波長成分しか持たない光）の集まったものと考えられ、それら単色光のエネルギー量を測定することで色成分が求められる。
【００２２】
図４は、本発明の色特性調整装置の構成を機能展開して示したブロック図である。
本発明の色特性調整装置は、測色値算出手段としての測色値算出部４１と、色特性調整手段としての色特性調整部４２と、一般的な表色系で定義された標準値が格納されている標準値テーブル（ＴＢＬ）４３で構成される。
測色値算出部４１は、カラーパッチ２のバリエーションの中から選択される、目標色３と同色もしくは同色に近い特定のパッチの測色値を、透過フィルム１が持つ色成分から算出する機能を持つ。
また、色特性調整部４２は、測色値算出部４１によって算出された測色値を標準値ＴＢＬ４３にある標準値と比較して補正値を得、当該補正値に基づく補正処理を実行して色特性を調整する機能を持つ。
【００２３】
図５は、本発明の色特性調整装置の動作を説明するために引用したフローチャートであり、本発明の色特性調整プログラムの処理手順も含まれている。
以下、図５に示すフローチャートを参照しながら図４に示す色特性調整装置の動作について詳細に説明する。
【００２４】
まず、出力機器４０によって多数のバリエーションのパッチが印刷されたカラーパッチ２が出力される（Ｓ５１）。そして、作業員が、あらかじめ用意される透過フィルム１を先のカラーパッチ２に重畳して色選択を行う（Ｓ５２、Ｓ５３）。
ここで色選択とは、出力機器４０によって生成出力されるカラーパッチ２のうち、目標色３と同色、もしくは同色に近いパッチを選択することである（Ｓ５４）。以上が作業員による手作業で実行される。
【００２５】
次に、本発明の色特性調整装置を起動して、測色値算出部４１による測色値を算出するための演算を行う（Ｓ５５）。すなわち、多数のパッチが印刷されたカラーパッチ２のうち、目標色と同色もしくは同色に近いと作業員によって目視判断され、選択されたパッチの色成分（α）が求められる。
ここでは、測色値算出部４１が、「選択されたパッチの色成分α＝目標色３の色成分β−透過フィルム１の色成分γ」を実行することにより算出できる。具体的には、カラー表示モニタに表示するＲＧＢ（０〜２５５）データであれば、上記したように、（Ｒ：Ｇ：Ｂ＝２３０：２３０：２５５）＝（Ｒ：Ｇ：Ｂ＝１００：１００：１２５）−（Ｒ：Ｇ：Ｂ＝１２５：１２５：１２５）を、カラープリンタに印刷するＣＭＹＫ（０〜１００％）データであれば、（Ｃ：Ｍ：Ｙ：Ｋ＝５０：５０：０：０）＝（Ｃ：Ｍ：Ｙ：Ｋ＝６０：６０：０：０）−（Ｃ：Ｍ：Ｙ：Ｋ＝１０：１０：０：０）を演算する。
そして、ここで得られる色成分に基づき色特性を生成することができる（Ｓ５６）。
【００２６】
ここで、「色特性」とは、例えば、カラープリンタであれば、ＣＭＹＫデータを入力信号としたときの用紙に付着されたＣＭＹＫインクの濃度とその入力信号値との関係（出力特性）をいう。
例えば、カラープリンタが、Ａ、Ｂ、Ｃの３台あったとする。これらは同じＣＭＹＫデータを入力信号として印刷出力したとしても同じ色として印刷されないことが多々ある。例えば、Ａプリンタには赤く、Ｂプリンタには青く、Ｃプリンタには、ＡプリンタとＢプリンタの間くらいの色に出力されるといった具合である。ここで、全てを同じ色で印刷するためには、Ａプリンタが数値的にどの程度赤いのか、Ｂプリンタが数値的にどの程度青いのかをデータとして取得する必要がある。どの程度赤いか、あるいは青いかを数値で知ることができれば、それを標準値に戻す（補正）ことはその数値から算出できる。
【００２７】
このため、標準値より常に赤く出力したい、または、ＢプリンタはＡプリンタより青く印刷したいといったような補正のための要求があった場合（Ｓ５７）、色特性調整部４２は、標準値ＴＢＬ４３にある標準値と先に測色値算出部４１により演算出力した測色値とを加減算することで任意の色特性への割当てを行うことができる（Ｓ５８）。すなわち、色特性調整部４２は、上記演算により補正値を算出するための材料としての数値を生成出力する。そしてその数値に基づき先の要求に従う色を創造する。
なお、図５に示すフローチャートのうち、手順Ｓ５５〜Ｓ５８を実行する色特性調整プログラムを作成し、作業員は、これをコンピュータにインストールして実行することにより、どのカラープリンタでも常に同じ色特性を得ることができ、出荷前の出力機器のカラー調整を行うことができる。また、遠隔地でも同じ色特性を持つカラープリンタがあれば補正値の伝達のみで同じ色で印刷された印刷物を得ることができる。
【００２８】
以上説明のように本発明は、高価な測色器を使用することなく、かつ、パッチが配色される媒体の材質に依存することなく得られる測色値を様々な環境に適応でき、更に、出力機器の色特性を調整可能とする透過フィルムを用いた測色方法、および色特性調整装置、ならびに色特性調整プログラムを提供するものである。
なお、図４に示す測色値算出部４１と、色特性調整部４２のそれぞれで実行される手順をコンピュータ読取り可能な記録媒体に記録し、この記録媒体に記録されたプログラムをコンピュータシステムに読み込ませ、実行することにより本発明の色特性調整装置が実現されるものとする。ここでいうコンピュータシステムとは、ＯＳや周辺機器等のハードウェアを含むものである。
また、「コンピュータシステム」は、ＷＷＷシステムを利用している場合であれば、ホームページ提供環境（あるいは表示環境）も含むものとする。
また、「コンピュータ読取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のシステムやクライアントとなるコンピュータシステム内部の揮発性メモリ（ＲＡＭ）のように、一定時間プログラムを保持しているものも含むものとする。
【００２９】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００３０】
以上、この発明の実施形態につき、図面を参照して詳述してきたが、具体的な構成はこの実施形態に限られるものではなく、この発明の要旨を逸脱しない範囲の設計等も含まれる。
【００３１】
【発明の効果】
以上説明のように本発明の透過フィルムを用いた測色方法によれば、カラーマッチングを実現するために高価な測色器を使用することなく、調整済みの出力機器を安価に市場へ供給することができる。また、目視により一般環境下での順応性を持ち、基準となる透過フィルムに透過物を使用するために、媒体の材質、質感に依存することなく色の選択が可能になる。
また、本発明において使用されるカラーパッチは、中心から端部にかけて彩度を順次変化させてパッチを配色するか、もしくは中心から端部にかけて円を描写するように順次色相を変化させてパッチを配色することで、微小な色の変化でも周辺と比べて違いが判りやすくなる。
【００３２】
更に、本発明の色特性調整装置、あるいは色特性調整プログラムによれば、色特性調整手段が、測色値演算手段で演算された色成分を標準値と比較することによって補正値を得、当該補正値に基づく補正処理を実行して色特性を調整することにより、出力機器の色特性を用意に把握できるため、出力機器の色特性の安定化や任意の濃度特性の割当が可能になる。
【図面の簡単な説明】
【図１】本発明の透過フィルムを用いた測色方法を説明するために引用した図である。
【図２】本発明の透過フィルムを用いた測色方法を説明するために引用した図である。
【図３】本発明の透過フィルムを用いた測色方法を説明するために引用した図である。
【図４】本発明の色特性調整装置の構成を機能展開して示したブロック図である。
【図５】本発明の色特性調整装置の動作を説明するために引用したフローチャートである。
【符号の説明】
１…透過フィルム、２…カラーパッチ、３…目標色、４０…出力機器、４１…測色値算出部、４２…色特性調整部、４３…標準値ＴＢＬ
【図１】
2004301506.tif 000003
【図２】
2004301506.tif 000004
【図３】
2004301506.tif 000005
【図４】
2004301506.tif 000006
【図５】
2004301506.tif 000007